(57)【要約】【課題】明るいＦ値とフォーカス群の軽量化とを両立しながら、無限端から至近端に至るまで収差が良好に補正され、画像全体で均一な画質を得ることが可能な撮像レンズ，それを備えた撮像光学装置及びデジタル機器を提供する。【解決手段】撮像レンズＬＮは、物体側から順に、正パワーの第１群Ｇｒ１と、正パワーの第２群Ｇｒ２と、負パワーの第３群Ｇｒ３とを有する。無限遠から至近物体へのフォーカシングにおいて、第１群Ｇｒ１が位置固定であり、第１群Ｇｒ１と第２群Ｇｒ２との間隔が縮小し、第２群Ｇｒ２と第３群Ｇｒ３との間隔が拡大する。第２群Ｇｒ２には、物体側から順に負レンズＬ２１と正レンズＬ２２が配置されている。第１群Ｇｒ１内で最も大きい空気間隔を境界として第１群Ｇｒ１を２つの群に分割したとき、その物体側の群を前群Ｇｒ１ａとし、像側の群を後群Ｇｒ１ｂとすると、前群Ｇｒ１ａ，後群Ｇｒ１ｂ，第２群Ｇｒ２，第３群Ｇｒ３の焦点距離；第２群Ｇｒ２のレンズのアッベ数等を適正に設定する。【選択図】図１
2019090948.tif 000002
【特許請求の範囲】
【請求項１】
物体側から順に、正パワーの第１群と、正パワーの第２群と、負パワーの第３群とを有し、無限遠から至近物体へのフォーカシングにおいて、前記第１群が位置固定であり、前記第１群と前記第２群との間隔が縮小し、前記第２群と前記第３群との間隔が拡大する撮像レンズであって、
前記第２群には、物体側から順に負レンズと正レンズが配置されており、
前記第１群内で最も大きい空気間隔を境界として前記第１群を２つの群に分割したとき、その物体側の群を前群とし、像側の群を後群とすると、以下の条件式（１）〜（６）を満足することを特徴とする撮像レンズ；
１．３＜−ｆ１ａ／ｆ＜３．５  …（１）
０．９＜ｆ１ｂ／ｆ＜１．５  …（２）
１．２＜ｆ２／ｆ＜１．８  …（３）
１．２＜｜ｆ３／ｆ２｜＜４．０  …（４）
−１．８＜（ｒａ＋ｒｂ）／（ｒａ−ｒｂ）＜−０．０５  …（５）
νｄ＿２ｐ−νｄ＿２ｎ＞２５  …（６）
ただし、
ｆ１ａ：前群の焦点距離、
ｆ１ｂ：後群の焦点距離、
ｆ：全系の焦点距離、
ｆ２：第２群の焦点距離、
ｆ３：第３群の焦点距離、
ｒａ：前群において最も像側の面の曲率半径、
ｒｂ：後群において最も物体側の面の曲率半径、
νｄ＿２ｐ：第２群において物体側から２番目に配置されている正レンズのアッベ数、
νｄ＿２ｎ：第２群において物体側から１番目に配置されている負レンズのアッベ数、
である。
【請求項２】
前記第２群において最もパワーの強い正レンズが、以下の条件式（７）及び（８）を満足することを特徴とする請求項１記載の撮像レンズ；
０．４５＜ｆ２ｐ／ｆ２＜１．２  …（７）
θｇ，Ｆ−（−０．００１８νｄ＋０．６４８４）＞０．００９  …（８）
ただし、
ｆ２ｐ：第２群において最もパワーの強い正レンズの焦点距離、
ｆ２：第２群の焦点距離、
θｇ，Ｆ：レンズ材料の部分分散比、
θｇ，Ｆ＝（Ｎｇ−ＮＦ）／（ＮＦ−ＮＣ）
Ｎｇ：ｇ線に関する屈折率、
ＮＦ：Ｆ線に関する屈折率、
ＮＣ：Ｃ線に関する屈折率、
νｄ：レンズ材料のｄ線に関するアッべ数、
である。
【請求項３】
前記第２群内に少なくとも２枚の正レンズを有しており、以下の条件式（９）を満足することを特徴とする請求項１又は２記載の撮像レンズ；
２．０＜ｆ２＿ｉｐ／ｆ２＿ｏｐ＜４．５  …（９）
ただし、
ｆ２＿ｏｐ：第２群において最も物体側の正レンズの焦点距離、
ｆ２＿ｉｐ：第２群において最も像側の正レンズの焦点距離、
である。
【請求項４】
前記第２群において最も像側のレンズが非球面レンズであることを特徴とする請求項１〜３のいずれか１項に記載の撮像レンズ。
【請求項５】
前記第３群において最も物体側の面が、物体側に凹面を向けた形状を有することを特徴とする請求項１〜４のいずれか１項に記載の撮像レンズ。
【請求項６】
無限遠から至近物体へのフォーカシングにおいて、前記第２群が物体側に移動し、前記第３群が像面側に移動することを特徴とする請求項１〜５のいずれか１項に記載の撮像レンズ。
【請求項７】
以下の条件式（１０）を満足することを特徴とする請求項６記載の撮像レンズ；
０．２＜｜ｄ＿２Ｇｒ／ｄ＿３Ｇｒ｜＜１．２  …（１０）
ただし、
ｄ＿２Ｇｒ：無限遠から任意の物体距離までのフォーカシングにおける第２群の移動量、
ｄ＿３Ｇｒ：無限遠から任意の物体距離までのフォーカシングにおける第３群の移動量、
である。
【請求項８】
前記第１群と前記第２群との間に絞りが配置されていることを特徴とする請求項１〜７のいずれか１項に記載の撮像レンズ。
【請求項９】
以下の条件式（１１）を満足することを特徴とする請求項１〜８のいずれか１項に記載の撮像レンズ；
０．２＜ｆ／ＴＬ＜０．４５  …（１１）
ただし、
ｆ：全系の焦点距離、
ＴＬ：撮像レンズの最も物体側の面から像面までの距離、
である。
【請求項１０】
請求項１〜９のいずれか１項に記載の撮像レンズと、撮像面上に形成された光学像を電気的な信号に変換する撮像素子と、を備え、前記撮像素子の撮像面上に被写体の光学像が形成されるように前記撮像レンズが設けられていることを特徴とする撮像光学装置。
【請求項１１】
請求項１０記載の撮像光学装置を備えることにより、被写体の静止画撮影，動画撮影のうちの少なくとも一方の機能が付加されたことを特徴とするデジタル機器。
【発明の詳細な説明】
【技術分野】
【０００１】
本発明は撮像レンズ，撮像光学装置及びデジタル機器に関するものであり、例えば、被写体の映像を撮像素子で取り込むレンズ交換式デジタルカメラに適したコンパクトで広角・大口径の撮像レンズと、その撮像レンズ及び撮像素子で取り込んだ被写体の映像を電気的な信号として出力する撮像光学装置と、その撮像光学装置を搭載したデジタルカメラ等の画像入力機能付きデジタル機器と、に関するものである。
【背景技術】
【０００２】
近年、レンズ交換式カメラとしてデジタルカメラが一般的になっている。デジタルカメラでは、ユーザーがモニターで等倍の撮影画像を見ることが可能であるため、無限端から至近端に至るまで、ＭＴＦ(Modulation Transfer Function)性能の向上がより一層求められるようになってきている。
【０００３】
また、一眼レフカメラから跳ね上げミラーを取り除いたミラーレスレンズ交換式カメラのなかには、従来の一眼レフカメラにおいて主流であった位相差ＡＦ(autofocus)を用いることができないものも存在する。そのようなカメラでは、フォーカス群を走査してコントラストが最大になる場所を探すことでフォーカシングを行う、いわゆるコントラストＡＦを用いることになる。
【０００４】
位相差ＡＦの場合、ＡＦセンサーからの情報を用い、合焦させるのに必要なフォーカス群の移動量を算出できるため、その量にしたがってフォーカス群を移動させることができる。一方、コントラストＡＦの場合、ＡＦセンサーから得られる情報はその瞬間のコントラスト値のみであり、フォーカス群を移動させて、その時々のコントラストの変化を読み取りながら、コントラストが最大となる場所を探すことでフォーカス動作を行うことになる。したがって、合焦に至るまでのフォーカス群の移動量をコントラストＡＦと位相差ＡＦとで比較した場合、前者の場合が圧倒的に大きくなる。
【０００５】
例えば、Ｆ値：２以下の大口径の撮像レンズにおいてコントラストＡＦに対応しようとすれば、ＡＦを高速化するためにフォーカス群の軽量化が大きなポイントとなる。したがって、ＡＦを高速化するためのフォーカス群の軽量化と、無限端から至近端に至るまでのＭＴＦ性能（収差性能）の向上と、を両立させることが必要になる。大口径の撮像レンズとしては、例えば特許文献１で提案されているものが挙げられる。また、正の第２群でフォーカスする構成の撮像レンズとして、特許文献２で提案されているものが挙げられる。
【先行技術文献】
【特許文献】
【０００６】
【特許文献１】特開２０１６−１２６２７９号公報
【特許文献２】特開２０１３−１８６４５８号公報
【発明の概要】
【発明が解決しようとする課題】
【０００７】
特許文献１で提案されている大口径の撮像レンズでは、フォーカス時の性能確保のため、フォーカス群のレンズ枚数が多くなっており、フォーカス群の軽量化が不十分である。また、特許文献２で提案されている撮像レンズでは、フォーカス時に第２群で発生する収差変動が大きいという課題がある。
【０００８】
本発明はこのような状況に鑑みてなされたものであって、その目的は、明るいＦ値とフォーカス群の軽量化とを両立しながら、無限端から至近端に至るまで収差が良好に補正され、画像全体で均一な画質を得ることが可能な撮像レンズ，それを備えた撮像光学装置及びデジタル機器を提供することにある。
【課題を解決するための手段】
【０００９】
上記目的を達成するために、第１の発明の撮像レンズは、物体側から順に、正パワーの第１群と、正パワーの第２群と、負パワーの第３群とを有し、無限遠から至近物体へのフォーカシングにおいて、前記第１群が位置固定であり、前記第１群と前記第２群との間隔が縮小し、前記第２群と前記第３群との間隔が拡大する撮像レンズであって、
前記第２群には、物体側から順に負レンズと正レンズが配置されており、
前記第１群内で最も大きい空気間隔を境界として前記第１群を２つの群に分割したとき、その物体側の群を前群とし、像側の群を後群とすると、以下の条件式（１）〜（６）を満足することを特徴とする。
１．３＜−ｆ１ａ／ｆ＜３．５  …（１）
０．９＜ｆ１ｂ／ｆ＜１．５  …（２）
１．２＜ｆ２／ｆ＜１．８  …（３）
１．２＜｜ｆ３／ｆ２｜＜４．０  …（４）
−１．８＜（ｒａ＋ｒｂ）／（ｒａ−ｒｂ）＜−０．０５  …（５）
νｄ＿２ｐ−νｄ＿２ｎ＞２５  …（６）
ただし、
ｆ１ａ：前群の焦点距離、
ｆ１ｂ：後群の焦点距離、
ｆ：全系の焦点距離、
ｆ２：第２群の焦点距離、
ｆ３：第３群の焦点距離、
ｒａ：前群において最も像側の面の曲率半径、
ｒｂ：後群において最も物体側の面の曲率半径、
νｄ＿２ｐ：第２群において物体側から２番目に配置されている正レンズのアッベ数、
νｄ＿２ｎ：第２群において物体側から１番目に配置されている負レンズのアッベ数、
である。
【００１０】
第２の発明の撮像レンズは、上記第１の発明において、前記第２群において最もパワーの強い正レンズが、以下の条件式（７）及び（８）を満足することを特徴とする。
０．４５＜ｆ２ｐ／ｆ２＜１．２  …（７）
θｇ，Ｆ−（−０．００１８νｄ＋０．６４８４）＞０．００９  …（８）
ただし、
ｆ２ｐ：第２群において最もパワーの強い正レンズの焦点距離、
ｆ２：第２群の焦点距離、
θｇ，Ｆ：レンズ材料の部分分散比、
θｇ，Ｆ＝（Ｎｇ−ＮＦ）／（ＮＦ−ＮＣ）
Ｎｇ：ｇ線に関する屈折率、
ＮＦ：Ｆ線に関する屈折率、
ＮＣ：Ｃ線に関する屈折率、
νｄ：レンズ材料のｄ線に関するアッべ数、
である。
【００１１】
第３の発明の撮像レンズは、上記第１又は第２の発明において、前記第２群内に少なくとも２枚の正レンズを有しており、以下の条件式（９）を満足することを特徴とする。
２．０＜ｆ２＿ｉｐ／ｆ２＿ｏｐ＜４．５  …（９）
ただし、
ｆ２＿ｏｐ：第２群において最も物体側の正レンズの焦点距離、
ｆ２＿ｉｐ：第２群において最も像側の正レンズの焦点距離、
である。
【００１２】
第４の発明の撮像レンズは、上記第１〜第３のいずれか１つの発明において、前記第２群において最も像側のレンズが非球面レンズであることを特徴とする。
【００１３】
第５の発明の撮像レンズは、上記第１〜第４のいずれか１つの発明において、前記第３群において最も物体側の面が、物体側に凹面を向けた形状を有することを特徴とする。
【００１４】
第６の発明の撮像レンズは、上記第１〜第５のいずれか１つの発明において、無限遠から至近物体へのフォーカシングにおいて、前記第２群が物体側に移動し、前記第３群が像面側に移動することを特徴とする。
【００１５】
第７の発明の撮像レンズは、上記第６の発明において、以下の条件式（１０）を満足することを特徴とする。
０．２＜｜ｄ＿２Ｇｒ／ｄ＿３Ｇｒ｜＜１．２  …（１０）
ただし、
ｄ＿２Ｇｒ：無限遠から任意の物体距離までのフォーカシングにおける第２群の移動量、
ｄ＿３Ｇｒ：無限遠から任意の物体距離までのフォーカシングにおける第３群の移動量、
である。
【００１６】
第８の発明の撮像レンズは、上記第１〜第７のいずれか１つの発明において、前記第１群と前記第２群との間に絞りが配置されていることを特徴とする。
【００１７】
第９の発明の撮像レンズは、上記第１〜第８のいずれか１つの発明において、以下の条件式（１１）を満足することを特徴とする。
０．２＜ｆ／ＴＬ＜０．４５  …（１１）
ただし、
ｆ：全系の焦点距離、
ＴＬ：撮像レンズの最も物体側の面から像面までの距離、
である。
【００１８】
第１０の発明の撮像光学装置は、上記第１〜第９のいずれか１つの発明に係る撮像レンズと、撮像面上に形成された光学像を電気的な信号に変換する撮像素子と、を備え、前記撮像素子の撮像面上に被写体の光学像が形成されるように前記撮像レンズが設けられていることを特徴とする。
【００１９】
第１１の発明のデジタル機器は、上記第１０の発明に係る撮像光学装置を備えることにより、被写体の静止画撮影，動画撮影のうちの少なくとも一方の機能が付加されたことを特徴とする。
【発明の効果】
【００２０】
本発明によれば、明るいＦ値とフォーカス群の軽量化とを両立しながら、無限端から至近端に至るまで収差が良好に補正され、画像全体で均一な画質を得ることが可能な撮像レンズ及び撮像光学装置を実現することができる。その撮像レンズ又は撮像光学装置をデジタル機器（例えばデジタルカメラ）に用いることによって、デジタル機器に対して高性能の画像入力機能をコンパクトに付加することが可能となる。
【図面の簡単な説明】
【００２１】
【図１】第１の実施の形態（実施例１）のレンズ構成図。
【図２】第２の実施の形態（実施例２）のレンズ構成図。
【図３】第３の実施の形態（実施例３）のレンズ構成図。
【図４】第４の実施の形態（実施例４）のレンズ構成図。
【図５】第５の実施の形態（実施例５）のレンズ構成図。
【図６】実施例１の縦収差図。
【図７】実施例２の縦収差図。
【図８】実施例３の縦収差図。
【図９】実施例４の縦収差図。
【図１０】実施例５の縦収差図。
【図１１】実施例１の第１フォーカスポジションでの横収差図。
【図１２】実施例１の第２フォーカスポジションでの横収差図。
【図１３】実施例２の第１フォーカスポジションでの横収差図。
【図１４】実施例２の第２フォーカスポジションでの横収差図。
【図１５】実施例３の第１フォーカスポジションでの横収差図。
【図１６】実施例３の第２フォーカスポジションでの横収差図。
【図１７】実施例４の第１フォーカスポジションでの横収差図。
【図１８】実施例４の第２フォーカスポジションでの横収差図。
【図１９】実施例５の第１フォーカスポジションでの横収差図。
【図２０】実施例５の第２フォーカスポジションでの横収差図。
【図２１】撮像光学装置を搭載したデジタル機器の概略構成例を示す模式図。
【発明を実施するための形態】
【００２２】
以下、本発明の実施の形態に係る撮像レンズ，撮像光学装置及びデジタル機器を説明する。本発明の実施の形態に係る撮像レンズは、物体側から順に、正パワーの第１群と、正パワーの第２群と、負パワーの第３群とを有し（パワー：焦点距離の逆数で定義される量）、無限遠から至近物体へのフォーカシングにおいて、前記第１群が位置固定であり、前記第１群と前記第２群との間隔が縮小し、前記第２群と前記第３群との間隔が拡大する。そして、前記第２群には、物体側から順に負レンズと正レンズが配置されている。
【００２３】
また、前記第１群内で最も大きい空気間隔を境界として前記第１群を２つの群に分割したとき、その物体側の群を前群とし、像側の群を後群とすると、上記撮像レンズは以下の条件式（１）〜（６）を満足することを特徴としている。
１．３＜−ｆ１ａ／ｆ＜３．５  …（１）
０．９＜ｆ１ｂ／ｆ＜１．５  …（２）
１．２＜ｆ２／ｆ＜１．８  …（３）
１．２＜｜ｆ３／ｆ２｜＜４．０  …（４）
−１．８＜（ｒａ＋ｒｂ）／（ｒａ−ｒｂ）＜−０．０５  …（５）
νｄ＿２ｐ−νｄ＿２ｎ＞２５  …（６）
ただし、
ｆ１ａ：前群の焦点距離、
ｆ１ｂ：後群の焦点距離、
ｆ：全系の焦点距離、
ｆ２：第２群の焦点距離、
ｆ３：第３群の焦点距離、
ｒａ：前群において最も像側の面の曲率半径、
ｒｂ：後群において最も物体側の面の曲率半径、
νｄ＿２ｐ：第２群において物体側から２番目に配置されている正レンズのアッベ数、
νｄ＿２ｎ：第２群において物体側から１番目に配置されている負レンズのアッベ数、
である。
【００２４】
物体側から順に正正負の３群を配置し、無限遠から至近物体へのフォーカシングにおいて、第１群を位置固定とし、第１群と第２群との間隔が縮小し、第２群と第３群との間隔が拡大する構成を採用すると、フォーカス時の収差変動を抑える効果が得られる。また、第２群内に物体側から順に負レンズと正レンズを配置することにより、軸外光のコマ収差補正に有利な構成にすることができる。
【００２５】
条件式（１）の下限を上回るようにすると、前群の負のパワーが強くなりすぎず、全長の拡大を防ぐとともに、前群に入射した光束を緩やかに屈折させることによってコマ収差等の収差を抑えることができる。条件式（１）の上限を下回るようにすると、前群の負のパワーが弱くなりすぎず、第１群の後側焦点位置を第２群に近づけることができるため、フォーカス時の第２群の駆動量を抑えることができ、フォーカス伴う球面収差変動を抑えることができる。
【００２６】
条件式（２）の下限を上回るようにすると、後群の正のパワーが強くなりすぎず、第１群の後側焦点位置を第２群に近づけることができるため、フォーカス時の第２群の駆動量を抑えることができ、フォーカスに伴う球面収差変動を抑えることができる。条件式（２）の上限を下回るようにすると、後群の正のパワーが弱くなりすぎず、第２群と正のパワーを適切に分担することにより、フォーカスに伴う像面湾曲，球面収差等の変動を抑えることができる。
【００２７】
条件式（３）の下限を上回るようにすると、第２群のパワーが強くなりすぎず、第２群がフォーカス時に移動することによる球面収差変動を抑えることができる。条件式（３）の上限を下回るようにすると、第２群の移動量の増大を防ぎ、第２群の移動による像面湾曲の変動を抑えることができる。また、第２群の有効径の増大を抑えることができる。
【００２８】
条件式（４）の下限を上回るようにすると、フォーカス群の移動量の増大を防ぎ、フォーカスに伴う像面湾曲変動を抑えることができる。条件式（４）の上限を下回るようにすると、後群の正のパワーが弱くなりすぎず、第２群と正のパワーが分担できるため、フォーカスに伴う像面湾曲，球面収差等の変動を抑えることができる。
【００２９】
条件式（５）は、前群の最も像側の面と後群の最も物体側の面の曲率を規定するものである。条件式（５）の下限を上回るようにすると、後群の最も物体側の面の発散作用が抑えられ、球面収差の発生を低減することができる。条件式（５）の上限を下回るようにすると、前群の最も像側の面での発散作用が過剰とならず、軸外光束でのコマ収差の発生を低減することができる。
【００３０】
条件式（６）を満足するようにすると、第２群に起因する軸上色収差の発生が抑えられるため、フォーカス領域全体にわたって、色収差の発生を抑えることができる。
【００３１】
上記特徴的構成によると、明るいＦ値とフォーカス群の軽量化とを両立しながら、無限端から至近端に至るまで収差が良好に補正され、画像全体で均一な画質を得ることが可能な撮像レンズ及びそれを備えた撮像光学装置を実現することができる。その撮像レンズ又は撮像光学装置をデジタル機器（例えばデジタルカメラ）に用いることによって、デジタル機器に対して高性能の画像入力機能を軽量・コンパクトに付加することが可能となり、デジタル機器のコンパクト化，低コスト化，高性能化，高機能化等に寄与することができる。例えば、上記特徴的構成を有する撮像レンズは、デジタルカメラ用・ビデオカメラ用の交換レンズとして好適であるため、持ち運びに便利な軽量・小型で高性能な交換レンズを実現することができる。こういった効果をバランス良く得るとともに、更に高い光学性能，軽量・小型化等を達成するための条件等を以下に説明する。
【００３２】
以下の条件式（２ａ）を満足することが望ましい。
０．９＜ｆ１ｂ／ｆ＜１．４  …（２ａ）
この条件式（２ａ）は、前記条件式（２）が規定している条件範囲のなかでも、前記観点等に基づいた更に好ましい条件範囲を規定している。したがって、好ましくは条件式（２ａ）を満たすことにより、上記効果をより一層大きくすることができる。
【００３３】
以下の条件式（４ａ）を満足することが望ましい。
１．２＜｜ｆ３／ｆ２｜＜３．５  …（４ａ）
この条件式（４ａ）は、前記条件式（４）が規定している条件範囲のなかでも、前記観点等に基づいた更に好ましい条件範囲を規定している。したがって、好ましくは条件式（４ａ）を満たすことにより、上記効果をより一層大きくすることができる。
【００３４】
前記第２群において最もパワーの強い正レンズが、以下の条件式（７）及び（８）を満足することが望ましい。
０．４５＜ｆ２ｐ／ｆ２＜１．２  …（７）
θｇ，Ｆ−（−０．００１８νｄ＋０．６４８４）＞０．００９  …（８）
ただし、
ｆ２ｐ：第２群において最もパワーの強い正レンズの焦点距離、
ｆ２：第２群の焦点距離、
θｇ，Ｆ：レンズ材料の部分分散比、
θｇ，Ｆ＝（Ｎｇ−ＮＦ）／（ＮＦ−ＮＣ）
Ｎｇ：ｇ線に関する屈折率、
ＮＦ：Ｆ線に関する屈折率、
ＮＣ：Ｃ線に関する屈折率、
νｄ：レンズ材料のｄ線に関するアッべ数、
である。
【００３５】
条件式（７）は、第２群において最もパワーの強い正レンズのパワーを規定するものである。条件式（７）の下限を上回るようにすると、正レンズのパワーが強くなりすぎず、フォーカス時に第２群を移動した時の像面湾曲の変動が抑えられる。条件式（７）の上限を下回るようにすると、正レンズのパワーが弱くなりすぎず、軸外光束でのコマ収差を抑えることができる。
【００３６】
条件式（８）は、第２群において最もパワーの強い正レンズの異常分散を規定するものである。条件式（８）を満足することにより、フォーカスに伴う軸上色収差変動を効果的に低減することができる。さらには、第２群において最もパワーの強い正レンズが、条件式（８）を満足することにより、色収差補正効果を最大限に発揮することができる。
【００３７】
前記第２群において最もパワーの強い正レンズが、以下の条件式（７ａ）を満足することが更に望ましい。
０．４５＜ｆ２ｐ／ｆ２＜１．０  …（７ａ）
この条件式（７ａ）は、前記条件式（７）が規定している条件範囲のなかでも、前記観点等に基づいた更に好ましい条件範囲を規定している。したがって、好ましくは条件式（７ａ）を満たすことにより、上記効果をより一層大きくすることができる。
【００３８】
前記第２群内に少なくとも２枚の正レンズを有しており、以下の条件式（９）を満足することが望ましい。
２．０＜ｆ２＿ｉｐ／ｆ２＿ｏｐ＜４．５  …（９）
ただし、
ｆ２＿ｏｐ：第２群において最も物体側の正レンズの焦点距離、
ｆ２＿ｉｐ：第２群において最も像側の正レンズの焦点距離、
である。
【００３９】
条件式（９）は、第２群内に配置された複数の正レンズのパワー比を規定するものである。第２群において、物体側の正レンズにフォーカス作用を担わせ、像側の正レンズに像面湾曲補正作用を主として担わせることにより、フォーカスに伴う球面収差，像面湾曲等の変動を低減することができる。条件式（９）の下限を上回るようにすると、像側レンズの正のパワーが強くなりすぎず、第２群の前側主点位置を第１群に近づけることができるため、フォーカスに必要な駆動量が低減され、フォーカス時の球面収差変動を抑えられる。条件式（９）の上限を下回るようにすると、像側レンズの正のパワーが弱くなりすぎず、軸外光束の像面湾曲を効果的に低減することができる。さらに、第２群を負正正の３枚のレンズで構成すると、第２群の重量を低減しながらフォーカス時の収差変動を抑える上で最も効果的な構成となる。
【００４０】
前記第２群において最も像側のレンズは、非球面レンズであることが望ましい。第２群の最も像側のレンズに非球面を有することにより、像面湾曲収差を効果的に抑えることが可能となる。第２群の最も像側のレンズの非球面形状は、光軸から周辺に向かうにつれて正パワーが徐々に弱くなるようなメニスカス形状であることが好ましい。そのような非球面形状を採用すると、軸外光束で発生するコマ収差を抑制しつつ、像面湾曲を効果的に補正することが可能となる。また、第２群において最も像側のレンズ面が非球面であることが更に望ましく、上記効果をより一層大きくすることができる。
【００４１】
前記第３群において最も物体側の面は、物体側に凹面を向けた形状を有することが望ましい。第３群において最も物体側の面を物体側に向けて凹面を向けた形状とすることにより、フォーカスに伴う当該面への入射角度変化を小さくできるため、フォーカス時のコマ収差変動を抑えつつ、像面湾曲も効果的に補正することができる。
【００４２】
無限遠から至近物体へのフォーカシングにおいて、前記第２群が物体側に移動し、前記第３群が像面側に移動することが望ましい。フォーカス時に第２群を物体方向に駆動し、第３群を像方向に駆動すると、第２群と第３群で発生する球面収差，像面湾曲等の諸収差を打ち消し合うようにすることが可能となる。したがって、無限端から至近端にいたるまで良好な光学性能を得ることができる。
【００４３】
前記第２群及び第３群に関しては、以下の条件式（１０）を満足することが望ましい。
０．２＜｜ｄ＿２Ｇｒ／ｄ＿３Ｇｒ｜＜１．２  …（１０）
ただし、
ｄ＿２Ｇｒ：無限遠から任意の物体距離までのフォーカシングにおける第２群の移動量、
ｄ＿３Ｇｒ：無限遠から任意の物体距離までのフォーカシングにおける第３群の移動量、
である。
【００４４】
条件式（１０）は、第２群と第３群のフォーカス移動量の比を規定するものである。条件式（１０）の下限を上回るようにすると、第２群のパワーの増大を防ぎ、フォーカス時の球面収差変動を抑えることができる。条件式（１０）の上限を下回るようにすると、第３群の移動量に対して第２群の移動量が大きくなりすぎないように規制され、第２群と第３群の同時駆動による球面収差，像面湾曲収差等の変動量を低減することができる。
【００４５】
前記第１群と前記第２群との間に絞りが配置されていることが望ましい。第１群と第２群との間に絞りを配置すると、第２群の有効径の増大が抑えられるため、第２群の軽量化が可能となって、フォーカススピードの増加につながる。また、絞りを挟んで正のパワーを持つ群が向かい合って配置されることにより、コマ収差の低減にも有利な構成にすることができる。
【００４６】
以下の条件式（１１）を満足することが望ましい。
０．２＜ｆ／ＴＬ＜０．４５  …（１１）
ただし、
ｆ：全系の焦点距離、
ＴＬ：撮像レンズの最も物体側の面から像面までの距離、
である。
【００４７】
条件式（１１）は、撮像レンズの全長と焦点距離の比を規定するものである。条件式（１１）の下限を上回るようにすると、第１群において軸外光線の通過径を抑えることができ、コマ収差の発生を抑えることができる。条件式（１１）の上限を下回るようにすると、第１群において軸外光線の通過径が小さくなりすぎないため、色収差等の補正が容易になる。
【００４８】
以上説明した撮像レンズは、画像入力機能付きデジタル機器（例えば、レンズ交換式デジタルカメラ）用の撮像レンズとしての使用に適しており、これを撮像素子等と組み合わせることにより、被写体の映像を光学的に取り込んで電気的な信号として出力する撮像光学装置を構成することができる。撮像光学装置は、被写体の静止画撮影や動画撮影に用いられるカメラの主たる構成要素を成す光学装置であり、例えば、物体（すなわち被写体）側から順に、物体の光学像を形成する撮像レンズと、その撮像レンズにより形成された光学像を電気的な信号に変換する撮像素子（イメージセンサー）と、を備えることにより構成される。そして、撮像素子の受光面（すなわち撮像面）上に被写体の光学像が形成されるように、前述した特徴的構成を有する撮像レンズが配置されることにより、小型・低コストで高い性能を有する撮像光学装置やそれを備えたデジタル機器を実現することができる。
【００４９】
画像入力機能付きデジタル機器の例としては、デジタルカメラ，ビデオカメラ，監視カメラ，防犯カメラ，車載カメラ，テレビ電話用カメラ等のカメラが挙げられる。また、パーソナルコンピューター，携帯用デジタル機器（例えば、携帯電話，スマートフォン（高機能携帯電話），タブレット端末，モバイルコンピューター等），これらの周辺機器（スキャナー，プリンター，マウス等），その他のデジタル機器（ドライブレコーダー，防衛機器等）等に内蔵又は外付けによりカメラ機能が搭載されたものが挙げられる。これらの例から分かるように、撮像光学装置を用いることによりカメラを構成することができるだけでなく、各種機器に撮像光学装置を搭載することによりカメラ機能を付加することが可能である。例えば、カメラ付き携帯電話等の画像入力機能付きデジタル機器を構成することが可能である。
【００５０】
図２１に、画像入力機能付きデジタル機器の一例として、デジタル機器ＤＵの概略構成例を模式的断面で示す。図２１に示すデジタル機器ＤＵに搭載されている撮像光学装置ＬＵは、物体（すなわち被写体）側から順に、物体の光学像（像面）ＩＭを形成する撮像レンズＬＮ（ＡＸ：光軸）と、撮像レンズＬＮにより受光面（撮像面）ＳＳ上に形成された光学像ＩＭを電気的な信号に変換する撮像素子ＳＲと、を備えており、必要に応じて平行平面板（例えば、撮像素子ＳＲのカバーガラス；必要に応じて配置される光学的ローパスフィルター，赤外カットフィルター等の光学フィルター等に相当する。）も配置される。
【００５１】
この撮像光学装置ＬＵで画像入力機能付きデジタル機器ＤＵを構成する場合、通常そのボディ内部に撮像光学装置ＬＵを配置することになるが、カメラ機能を実現する際には必要に応じた形態を採用することが可能である。例えば、ユニット化した撮像光学装置ＬＵをデジタル機器ＤＵの本体に対して回動可能に構成してもよく、ユニット化した撮像光学装置ＬＵをイメージセンサー付き交換レンズとして、デジタル機器ＤＵ（つまり、レンズ交換式カメラ）の本体に対して着脱可能に構成してもよい。
【００５２】
撮像レンズＬＮは、例えば少なくとも３群で構成された広角の単焦点レンズであり、第１群の位置を固定した状態（つまり、像面ＩＭに対して位置固定した状態）で少なくとも第２群を光軸ＡＸに沿って移動させることにより、近距離物体へのフォーカシングを行い、撮像素子ＳＲの受光面ＳＳ上に光学像ＩＭを形成する構成になっている。撮像素子ＳＲとしては、例えば複数の画素を有するＣＣＤ(Charge Coupled Device)型イメージセンサー，ＣＭＯＳ(Complementary Metal-Oxide Semiconductor)型イメージセンサー等の固体撮像素子が用いられる。撮像レンズＬＮは、撮像素子ＳＲの光電変換部である受光面ＳＳ上に被写体の光学像ＩＭが形成されるように設けられているので、撮像レンズＬＮによって形成された光学像ＩＭは、撮像素子ＳＲによって電気的な信号に変換される。
【００５３】
デジタル機器ＤＵは、撮像光学装置ＬＵの他に、信号処理部１，制御部２，メモリー３，操作部４，表示部５等を備えている。撮像素子ＳＲで生成した信号は、信号処理部１で所定のデジタル画像処理や画像圧縮処理等が必要に応じて施され、デジタル映像信号としてメモリー３（半導体メモリー，光ディスク等）に記録されたり、場合によってはケーブルを介したり赤外線信号等に変換されたりして他の機器に伝送される（例えば携帯電話の通信機能）。制御部２はマイクロコンピューターからなっており、撮影機能（静止画撮影機能，動画撮影機能等），画像再生機能等の機能の制御；フォーカシング，手ぶれ補正等のためのレンズ移動機構の制御等を集中的に行う。例えば、被写体の静止画撮影，動画撮影のうちの少なくとも一方を行うように、制御部２により撮像光学装置ＬＵに対する制御が行われる。表示部５は液晶モニター等のディスプレイを含む部分であり、撮像素子ＳＲによって変換された画像信号あるいはメモリー３に記録されている画像情報を用いて画像表示を行う。操作部４は、操作ボタン（例えばレリーズボタン），操作ダイヤル（例えば撮影モードダイヤル）等の操作部材を含む部分であり、操作者が操作入力した情報を制御部２に伝達する。
【００５４】
次に、撮像レンズＬＮの第１〜第５の実施の形態を挙げて、その具体的な光学構成を更に詳しく説明する。図１〜図５は、第１〜第５の実施の形態を構成する撮像レンズＬＮにそれぞれ対応するレンズ構成図であり、無限遠物体距離状態におけるレンズ配置を光学断面で示している。なお、撮像レンズＬＮと像面ＩＭとの間には平行平面板ＰＴが配置されており、この平行平面板ＰＴは、撮像素子ＳＲのカバーガラスとモアレ防止用のローパスフィルターとのトータルの光学厚みに等価なガラス平板である。
【００５５】
第１〜第５の実施の形態は、物体側から順に、正パワーの第１群Ｇｒ１と、正パワーの第２群Ｇｒ２と、負パワーの第３群Ｇｒ３と、からなる正正負の３群構成になっており、コンパクトで広角・大口径の単焦点交換レンズとして好適な構成になっている。図１〜図５において、Ｌ１＃（＃＝１，２，…，８）は第１群Ｇｒ１において物体側から＃番目のレンズであり、Ｌ２＃（＃＝１，２，３）は第２群Ｇｒ２において物体側から＃番目のレンズであり、Ｌ３１は第３群Ｇｒ３を構成する１枚のレンズである。
【００５６】
第１，第４の実施の形態では、第１フォーカスポジションＰＯＳ１（無限端：無限遠物体距離状態）から第２フォーカスポジションＰＯＳ２（至近端：至近物体距離状態）へのフォーカシングにおいて、第１群Ｇｒ１と第３群Ｇｒ３が像面ＩＭに対して位置固定であり、第１群Ｇｒ１と第２群Ｇｒ２との間隔が狭まり、第２群Ｇｒ２と第３群Ｇｒ３との間隔が広がるように、フォーカス群である第２群Ｇｒ２が光軸ＡＸに沿って物体側に移動する。第２，第３，第５の実施の形態では、第１フォーカスポジションＰＯＳ１から第２フォーカスポジションＰＯＳ２へのフォーカシングにおいて、第１群Ｇｒ１が像面ＩＭに対して位置固定であり、第１群Ｇｒ１と第２群Ｇｒ２との間隔が狭まり、第２群Ｇｒ２と第３群Ｇｒ３との間隔が広がるように、フォーカス群である第２群Ｇｒ２と第３群Ｇｒ３が光軸ＡＸに沿って逆方向に移動する。なお、矢印ｍ１，ｍ２，ｍ３は、第１群Ｇｒ１，第２群Ｇｒ２，第３群Ｇｒ３の移動軌跡をそれぞれ示しており、第１群Ｇｒ１と第２群Ｇｒ２との間に配置されている絞り（開口絞り）ＳＴと、撮像レンズＬＮの像面ＩＭ側に配置されている平行平面板ＰＴは、第１群Ｇｒ１と共にフォーカス位置固定である。
【００５７】
第２，第３，第５の実施の形態では、上記のようにフローティングフォーカス方式を採用しており、無限端から至近端へのフォーカシングにおいて、第２群Ｇｒ２が物体側へ移動するのに対し、第３群Ｇｒ３は像側へ移動する。このように第２群Ｇｒ２と第３群Ｇｒ３のフォーカス移動方向を逆にして、第２群Ｇｒ２と第３群Ｇｒ３との間隔が広がるようにすると、フォーカス時の像面湾曲等の収差の変動を、第２群Ｇｒ２と第３群Ｇｒ３とで有利に打ち消し合うようにすることができる。したがって、フォーカス時の収差劣化をより効果的に補正することができ、至近端ＰＯＳ２での画質をより一層改善することが可能となる。
【００５８】
第１群Ｇｒ１内で最も大きい空気間隔を境界として第１群Ｇｒ１を２つの群に分割したとき、その物体側の群が前群Ｇｒ１ａであり、像側の群が後群Ｇｒ１ｂである。第１〜第５の実施の形態では、前群Ｇｒ１ａが負パワーを有しており、後群Ｇｒ１ｂが正パワーを有しており、その前群Ｇｒ１ａと後群Ｇｒ１ｂとのパワー配置を適切に設定することにより、良好な収差補正を可能としている。
【００５９】
第１の実施の形態の撮像レンズＬＮ（図１）は、正正負の３群構成になっており、各群は物体側から順に以下のように構成されている。第１群Ｇｒ１は前群Ｇｒ１ａと後群Ｇｒ１ｂからなっており、前群Ｇｒ１ａは、像側に凹の負メニスカスレンズＬ１１で構成されており、後群Ｇｒ１ｂは、像側に凹の負メニスカスレンズＬ１２及び両凸の正レンズＬ１３からなる接合レンズと、両凹の負レンズＬ１４及び両凸の正レンズＬ１５からなる接合レンズと、両凸の正レンズＬ１６と、両凸の正レンズＬ１７及び両凹の負レンズＬ１８からなる接合レンズと、で構成されている。第２群Ｇｒ２は、物体側に凹の負メニスカスレンズＬ２１と、両凸の正レンズＬ２２と、像側に凸の正メニスカスレンズＬ２３（両面が非球面）と、で構成されている。第３群Ｇｒ３は、両凹の負レンズＬ３１で構成されている。
【００６０】
第２の実施の形態の撮像レンズＬＮ（図２）は、正正負の３群構成になっており、各群は物体側から順に以下のように構成されている。第１群Ｇｒ１は前群Ｇｒ１ａと後群Ｇｒ１ｂからなっており、前群Ｇｒ１ａは、像側に凹の負メニスカスレンズＬ１１で構成されており、後群Ｇｒ１ｂは、両凹の負レンズＬ１２及び物体側に凸の正メニスカスレンズＬ１３からなる接合レンズと、両凹の負レンズＬ１４及び両凸の正レンズＬ１５からなる接合レンズと、両凸の正レンズＬ１６と、両凸の正レンズＬ１７及び両凹の負レンズＬ１８からなる接合レンズと、で構成されている。第２群Ｇｒ２は、物体側に凹の負メニスカスレンズＬ２１と、両凸の正レンズＬ２２と、像側に凸の正メニスカスレンズＬ２３（両面が非球面）と、で構成されている。第３群Ｇｒ３は、両凹の負レンズＬ３１で構成されている。
【００６１】
第３の実施の形態の撮像レンズＬＮ（図３）は、正正負の３群構成になっており、各群は物体側から順に以下のように構成されている。第１群Ｇｒ１は前群Ｇｒ１ａと後群Ｇｒ１ｂからなっており、前群Ｇｒ１ａは、像側に凹の負メニスカスレンズＬ１１と、物体側に凸の正メニスカスレンズＬ１２及び像側に凹の負メニスカスレンズＬ１３からなる接合レンズと、で構成されており、後群Ｇｒ１ｂは、両凹の負レンズＬ１４及び両凸の正レンズＬ１５からなる接合レンズと、両凸の正レンズＬ１６（両面が非球面）と、両凸の正レンズＬ１７及び両凹の負レンズＬ１８からなる接合レンズと、で構成されている。第２群Ｇｒ２は、物体側に凹の負メニスカスレンズＬ２１（両面が非球面）と、両凸の正レンズＬ２２と、像側に凸の正メニスカスレンズＬ２３（両面が非球面）と、で構成されている。第３群Ｇｒ３は、物体側に凹の平凹の負レンズＬ３１で構成されている。
【００６２】
第４の実施の形態の撮像レンズＬＮ（図４）は、正正負の３群構成になっており、各群は物体側から順に以下のように構成されている。第１群Ｇｒ１は前群Ｇｒ１ａと後群Ｇｒ１ｂからなっており、前群Ｇｒ１ａは、２枚の像側に凹の負メニスカスレンズＬ１１，Ｌ１２で構成されており、後群Ｇｒ１ｂは、両凹の負レンズＬ１３及び両凸の正レンズＬ１４からなる接合レンズと、両凸の正レンズＬ１５と、で構成されている。第２群Ｇｒ２は、物体側に凹の負メニスカスレンズＬ２１と、両凸の正レンズＬ２２と、像側に凸の正メニスカスレンズＬ２３（両面が非球面）と、で構成されている。第３群Ｇｒ３は、物体側に凹の負メニスカスレンズＬ３１で構成されている。
【００６３】
第５の実施の形態の撮像レンズＬＮ（図５）は、正正負の３群構成になっており、各群は物体側から順に以下のように構成されている。第１群Ｇｒ１は前群Ｇｒ１ａと後群Ｇｒ１ｂからなっており、前群Ｇｒ１ａは、像側に凹の負メニスカスレンズＬ１１で構成されており、後群Ｇｒ１ｂは、両凸の正レンズＬ１２及び両凹の負レンズＬ１３からなる接合レンズと、両凹の負レンズＬ１４及び両凸の正レンズＬ１５からなる接合レンズと、両凸の正レンズＬ１６と、像側に凹の負メニスカスレンズＬ１７（両面が非球面）と、で構成されている。第２群Ｇｒ２は、物体側に凹の負メニスカスレンズＬ２１と、両凸の正レンズＬ２２と、像側に凸の正メニスカスレンズＬ２３（両面が非球面）と、で構成されている。第３群Ｇｒ３は、物体側に凹の負メニスカスレンズＬ３１（両面が非球面）で構成されている。
【実施例】
【００６４】
以下、本発明を実施した撮像レンズの構成等を、実施例のコンストラクションデータ等を挙げて更に具体的に説明する。ここで挙げる実施例１〜５（ＥＸ１〜５）は、前述した第１〜第５の実施の形態にそれぞれ対応する数値実施例であり、第１〜第５の実施の形態を表すレンズ構成図（図１〜図５）は、対応する実施例１〜５の光学構成をそれぞれ示している。
【００６５】
各実施例のコンストラクションデータでは、面データとして、左側の欄から順に、面番号ｉ（ＯＢ：物面，ＳＴ：絞り，ＩＭ：像面），近軸における曲率半径ｒｉ（ｍｍ），軸上面間隔ｄｉ（ｍｍ），ｄ線（波長：５８７．５６ｎｍ）に関する屈折率ｎｄ，ｄ線に関するアッベ数νｄ，及び有効半径Ｒｉ（ｍｍ）を示す。
【００６６】
面番号ｉに＊が付された面は非球面であり、その面形状は面頂点を原点とするローカルな直交座標系（ｘ，ｙ，ｚ）を用いた以下の式（ＡＳ）で定義される。非球面データとして、非球面係数等を示す。なお、各実施例の非球面データにおいて表記の無い項の係数は０であり、すべてのデータに関してＥ−ｎ＝×１０-nである。
ｚ＝（ｃ・ｈ2）／［１＋√｛１−（１＋Ｋ）・ｃ2・ｈ2｝］＋Σ（Ａｊ・ｈj）  …（ＡＳ）
ただし、
ｈ：ｚ軸（光軸ＡＸ）に対して垂直な方向の高さ（ｈ2＝ｘ2＋ｙ2）、
ｚ：高さｈの位置での光軸ＡＸ方向のサグ量（面頂点基準）、
ｃ：面頂点での曲率（曲率半径ｒｉの逆数）、
Ｋ：円錐定数、
Ａｊ：ｊ次の非球面係数、
である。
【００６７】
各種データとして、全系の焦点距離ｆ（ｍｍ），Ｆナンバー（ＦＮＯ），全画角２ω（°），レンズ全長ＴＬ（撮像レンズＬＮの最も物体側の面から像面ＩＭまでの距離（空気換算なし），ｍｍ），バックフォーカスＢＦ（平行平面板ＰＴの像側面から像面ＩＭまでの距離，ｍｍ）を示す。さらに、フォーカシングにより変化する可変パラメーターとして、絞り径（有効半径）Ｒｉと可変軸上面間隔ｄｉを、第１フォーカスポジションＰＯＳ１（無限遠物体距離状態），第２フォーカスポジションＰＯＳ２（至近物体距離状態）のそれぞれについて示す。また、第１フォーカスポジションＰＯＳ１から第２フォーカスポジションＰＯＳ２へフォーカス移動する際の第２群Ｇｒ２の移動量ｄ＿２Ｇｒと第３群Ｇｒ３の移動量ｄ＿３Ｇｒを示し、表１に各実施例の条件式対応値を示し、表２に条件式の関連データを示す。
【００６８】
図６〜図１０は、実施例１〜実施例５（ＥＸ１〜ＥＸ５）にそれぞれ対応する縦収差図であり、（Ａ）〜（Ｃ）は第１フォーカスポジションＰＯＳ１、（Ｄ）〜（Ｆ）は第２フォーカスポジションＰＯＳ２における諸収差をそれぞれ示している。また、図６〜図１０中、（Ａ）と（Ｄ）は球面収差図、（Ｂ）と（Ｅ）は非点収差図、（Ｃ）と（Ｆ）は歪曲収差図である。
【００６９】
球面収差図は、一点鎖線で示すＣ線（波長６５６．２８ｎｍ）に対する球面収差量、実線で示すｄ線（波長５８７．５６ｎｍ）に対する球面収差量、破線で示すｇ線（波長４３５．８４ｎｍ）に対する球面収差量を、それぞれ近軸像面からの光軸ＡＸ方向のズレ量（ｍｍ）で表しており、縦軸は瞳への入射高さをその最大高さで規格化した値（すなわち相対瞳高さ）を表している。非点収差図において、破線Ｔはｄ線に対するタンジェンシャル像面、実線Ｓはｄ線に対するサジタル像面を、それぞれ近軸像面からの光軸ＡＸ方向のズレ量（ｍｍ）で表しており、縦軸は像高（ＩＭＧ  ＨＴ，ｍｍ）を表している。歪曲収差図において、横軸はｄ線に対する歪曲（％）を表しており、縦軸は像高（ＩＭＧ  ＨＴ，ｍｍ）を表している。なお、像高ＩＭＧ  ＨＴの最大値は、像面ＩＭにおける最大像高に相当する。
【００７０】
図１１，図１３，図１５，図１７及び図１９は、第１フォーカスポジションＰＯＳ１での実施例１〜実施例５（ＥＸ１〜ＥＸ５）にそれぞれ対応する横収差図であり、図１２，図１４，図１６，図１８及び図２０は、第２フォーカスポジションＰＯＳ２での実施例１〜実施例５（ＥＸ１〜ＥＸ５）にそれぞれ対応する横収差図である。図１１〜図２０のそれぞれにおいて、左側の列はタンジェンシャル光束での横収差（ｍｍ）を示しており、右側の列はサジタル光束での横収差（ｍｍ）を示している。また、ＲＥＬＡＴＩＶＥ  ＦＩＥＬＤ  ＨＥＩＧＨＴで表されている像高比（半画角ω°）での横収差を、一点鎖線で示すＣ線（波長６５６．２８ｎｍ）、実線で示すｄ線（波長５８７．５６ｎｍ）、破線で示すｇ線（波長４３５．８４ｎｍ）について示している。なお像高比は、像高ＩＭＧ  ＨＴを最大像高で規格化した相対的な像高である。
【００７１】
実施例１
単位：mm
面データ
i           ri        di        nd       νd       Ri
0(OB)         ∞      d0
1         3.6505    0.102    1.69895    30.05    0.974
2         0.8575    0.526                        0.741
3        20.9253    0.092    1.51680    64.20    0.735
4         2.5328    0.219    1.92286    20.88    0.726
5       -11.9373    0.295                        0.716
6        -1.7717    0.119    1.62004    36.30    0.668
7         1.9685    0.181    1.61997    63.88    0.671
8        -6.8010    0.027                        0.672
9         3.1070    0.281    1.88100    40.14    0.665
10       -2.2357    0.005                        0.651
11        2.0457    0.236    1.77250    49.62    0.537
12       -1.6840    0.060    1.71736    29.50    0.514
13        1.9949    0.169                        0.459
14(ST)        ∞      d14                          R14
15       -0.8083    0.162    1.80518    25.46    0.366
16       -1.3785    0.044                        0.423
17        1.9910    0.278    1.59282    68.62    0.535
18       -1.3431    0.172                        0.553
19*      -3.2245    0.100    1.83220    40.10    0.569
20*      -1.7591      d20                        0.583
21       -2.3650    0.093    1.80518    25.46    0.604
22        8.6281    0.603                        0.640
23            ∞    0.069    1.51480    64.14    1.200
24            ∞       BF                        1.200
25(IM)        ∞
【００７２】
非球面データ
i           19           20
K            0            0
A4   -2.604E-01   -5.854E-04
A6    1.934E-01    3.059E-01
A8    0.000E+00    0.000E+00
A10    0.000E+00    0.000E+00
A12    0.000E+00    0.000E+00
【００７３】
各種データ
f      1.13
FNO      1.85
2ω      83.0
TL     4.414
BF    0.0462
可変パラメーター
物体距離d0               R14     d14     d20
∞    (POS1)            0.425   0.395   0.139
7.14mm(POS2)            0.420   0.277   0.257
群移動量(POS1→POS2)
Gr2
-0.118
【００７４】
実施例２
単位：mm
面データ
i           ri        di        nd       νd       Ri
0(OB)         ∞      d0
1         5.2537    0.102    1.66446    35.91    0.975
2         0.9322    0.551                        0.758
3       -30.4018    0.092    1.62004    36.30    0.737
4         1.9408    0.224    1.92286    20.88    0.719
5        24.9372    0.235                        0.707
6        -1.8836    0.092    1.69895    30.05    0.686
7         2.6962    0.265    1.83481    42.72    0.699
8        -3.2039    0.009                        0.701
9         2.1418    0.231    1.88300    40.76    0.670
10       -7.1415    0.009                        0.648
11        1.7434    0.281    1.83481    42.72    0.566
12       -1.8840    0.060    1.69895    30.05    0.526
13        1.4348    0.191                        0.444
14(ST)        ∞      d14                          R14
15       -0.7488    0.055    1.75520    27.53    0.361
16       -2.4434    0.024                        0.375
17        2.3343    0.269    1.59282    68.62    0.460
18       -0.9873    0.109                        0.491
19*      -5.8696    0.135    1.82080    42.71    0.524
20*      -1.9402      d20                        0.560
21       -4.0712    0.092    1.72047    34.71    0.693
22       20.1119      d22                        0.676
23            ∞    0.069    1.51680    64.14    1.200
24            ∞       BF                        1.200
25(IM)        ∞
【００７５】
非球面データ
i           19           20
K            0            0
A4   -4.148E-01   -1.172E-01
A6   -1.186E+00   -9.748E-01
A8    5.555E-01    1.023E+00
A10    0.000E+00    0.000E+00
A12    0.000E+00    0.000E+00
【００７６】
各種データ
f      1.14
FNO      1.85
2ω      82.6
TL     4.414
BF    0.0448
可変パラメーター
物体距離d0               R14     d14     d20     d22
∞    (POS1)            0.416   0.387   0.120   0.760
7.14mm(POS2)            0.400   0.299   0.402   0.565
群移動量(POS1→POS2)
Gr2     Gr3
-0.088   0.194
【００７７】
実施例３
単位：mm
面データ
i           ri        di        nd       νd       Ri
0(OB)         ∞      d0
1         2.5424    0.102    1.65844    50.85    1.054
2         0.9246    0.439                        0.807
3         2.0808    0.190    1.92286    20.88    0.776
4         3.5916    0.102    1.48749    70.32    0.737
5         1.1233    0.453                        0.650
6        -1.5692    0.092    1.67270    32.17    0.624
7         1.1681    0.404    1.88100    40.14    0.643
8        -3.0812    0.027                        0.638
9*        1.7767    0.211    1.82080    42.71    0.587
10*      -7.1583    0.029                        0.570
11        3.1208    0.229    1.84850    43.79    0.533
12       -1.8099    0.060    1.69895    30.05    0.512
13        1.7205    0.179                        0.464
14(ST)        ∞      d14                          R14
15*      -0.9487    0.055    1.83441    37.28    0.398
16*      -3.3164    0.033                        0.416
17        3.1258    0.267    1.59282    68.62    0.426
18       -0.8904    0.206                        0.450
19*      -4.1856    0.132    1.74330    49.33    0.485
20*      -1.8713      d20                        0.566
21       -4.0518    0.081    1.74077    27.76    0.580
22            ∞      d22                        0.693
23            ∞    0.074    1.51480    64.14    0.713
24            ∞       BF                        1.200
25(IM)        ∞
【００７８】
非球面データ
i            9           10           15
K            0            0            0
A4    1.636E-02    5.124E-02   -4.036E-01
A6    2.187E-02    1.402E-02   -2.480E-01
A8    4.840E-03    7.649E-03    1.966E-01
A10    0.000E+00    0.000E+00    0.000E+00
A12    0.000E+00    0.000E+00    0.000E+00
i           16           19           20
K            0            0            0
A4   -7.313E-02    1.200E-01    2.110E-01
A6    1.763E-01    1.845E-01    2.880E-01
A8    7.632E-01   -7.940E-02    1.652E-01
A10    0.000E+00    0.000E+00   -1.677E-01
A12    0.000E+00    0.000E+00    0.000E+00
【００７９】
各種データ
f      1.14
FNO      1.85
2ω      82.7
TL     4.736
BF    0.0448
可変パラメーター
物体距離d0               R14     d14     d20     d22
∞    (POS1)            0.439   0.347   0.176   0.813
6.58mm(POS2)            0.419   0.264   0.484   0.587
群移動量(POS1→POS2)
Gr2     Gr3
-0.083   0.226
【００８０】
実施例４
単位：mm
面データ
i           ri        di        nd       νd       Ri
0(OB)         ∞      d0
1         1.6401    0.102    1.51823    58.96    0.869
2         0.8915    0.188                        0.726
3         0.9243    0.180    1.92286    20.88    0.684
4         0.8935    0.510                        0.608
5        -1.0838    0.234    1.72047    34.70    0.552
6         2.2788    0.308    1.77250    49.62    0.583
7        -1.4605    0.018                        0.592
8         1.4871    0.244    1.59282    68.62    0.599
9        -6.8881    0.254                        0.587
10(ST)        ∞      d10                          R10
11       -1.1493    0.055    1.59270    35.31    0.479
12      -39.1824     0.02                        0.495
13        1.5461    0.289    1.59282    68.62    0.583
14       -2.0569    0.325                        0.597
15*     -33.5028    0.117    1.76450    49.09    0.628
16*      -2.4463      d16                        0.635
17       -1.3689    0.083    1.51742    52.15    0.659
18      -22.9117     0.52                        0.721
19            ∞    0.069    1.51680    64.12    1.200
20            ∞       BF                        1.200
21(IM)        ∞
【００８１】
非球面データ
i           15           16
K            0            0
A4    1.447E-01    1.447E-01
A6   -2.083E-01   -2.083E-01
A8    2.196E+00    2.196E+00
A10   -2.759E+00   -2.759E+00
A12    0.000E+00    0.000E+00
【００８２】
各種データ
f      1.57
FNO      1.85
2ω      64.9
TL     4.345
BF    0.0462
可変パラメーター
物体距離d0               R10     d10     d16
∞   (POS1)             0.518   0.521   0.259
9.5mm(POS2)             0.518   0.315   0.465
群移動量(POS1→POS2)
Gr2
-0.205
【００８３】
実施例５
単位：mm
面データ
i           ri        di        nd       νd       Ri
0(OB)         ∞      d0
1         4.6232    0.102    1.51680    64.13    0.832
2         0.8784    0.354                        0.673
3         4.0730    0.258    1.95375    32.33    0.657
4        -2.0290    0.083    1.60342    38.03    0.640
5         3.2358    0.108                        0.569
6        -1.2945    0.172    1.68893    31.16    0.548
7         1.7517    0.329    1.85150    40.78    0.631
8        -1.7517    0.018                        0.645
9         1.1917    0.368    1.49700    81.61    0.653
10       -3.5528    0.009                        0.631
11*       4.1556    0.057    1.83441    37.28    0.587
12*       1.9836    0.187                        0.557
13(ST)        ∞      d13                          R13
14       -0.9917    0.062    1.61293    36.94    0.478
15       -5.7790    0.012                        0.495
16        2.1244    0.282    1.59282    68.62    0.544
17       -1.3918    0.209                        0.562
18*      -8.4171    0.098    1.69350    53.20    0.599
19*      -2.8176      d19                        0.614
20*      -1.8973    0.083    1.58313    59.46    0.645
21*      -6.9348      d21                        0.704
22            ∞    0.074    1.51680    64.13    1.200
23            ∞       BF                        1.200
24(IM)        ∞
【００８４】
非球面データ
i           11           12           18
K      -4.9288      -0.4693      15.3255
A4   -9.582E-02   -8.355E-02   -2.063E-01
A6    5.043E-01    5.689E-01    6.890E-02
A8   -4.618E-01   -2.913E-01    0.000E+00
A10    0.000E+00    0.000E+00    0.000E+00
A12    0.000E+00    0.000E+00    0.000E+00
i           19           20           21
K      -0.9347      -0.1889            0
A4   -2.416E-03   -1.143E-01   -9.359E-02
A6    1.158E-01   -1.549E-01   -1.873E-01
A8    1.983E-01    0.000E+00    1.909E-01
A10   -1.130E-01    0.000E+00   -1.298E-01
A12    0.000E+00    0.000E+00    0.000E+00
【００８５】
各種データ
f      1.57
FNO      1.85
2ω      64.9
TL     4.553
BF    0.0425
可変パラメーター
物体距離d0               R13     d13     d19     d21
∞   (POS1)             0.533   0.514   0.229   0.751
7.0mm(POS2)             0.509   0.283   0.666   0.545
群移動量(POS1→POS2)
Gr2     Gr3
-0.230   0.206
【００８６】
【表１】
2019090948.tif 000003
【００８７】
【表２】
2019090948.tif 000004
【符号の説明】
【００８８】
ＤＵ    デジタル機器
ＬＵ    撮像光学装置
ＬＮ    撮像レンズ
Ｇｒ１    第１群
Ｇｒ２    第２群
Ｇｒ３    第３群
Ｇｒ１ａ    前群
Ｇｒ１ｂ    後群
Ｌ１＃    第１群において物体側から＃番目のレンズ（＃＝１，２，…，８）
Ｌ２＃    第２群において物体側から＃番目のレンズ（＃＝１，２，３）
Ｌ３１    第３群を構成するレンズ
ＳＴ    絞り
ＳＲ    撮像素子
ＳＳ    受光面（撮像面）
ＩＭ    像面（光学像）
ＡＸ    光軸
１    信号処理部
２    制御部
３    メモリー
４    操作部
５    表示部
【図１】
2019090948.tif 000005
【図２】
2019090948.tif 000006
【図３】
2019090948.tif 000007
【図４】
2019090948.tif 000008
【図５】
2019090948.tif 000009
【図６】
2019090948.tif 000010
【図７】
2019090948.tif 000011
【図８】
2019090948.tif 000012
【図９】
2019090948.tif 000013
【図１０】
2019090948.tif 000014
【図１１】
2019090948.tif 000015
【図１２】
2019090948.tif 000016
【図１３】
2019090948.tif 000017
【図１４】
2019090948.tif 000018
【図１５】
2019090948.tif 000019
【図１６】
2019090948.tif 000020
【図１７】
2019090948.tif 000021
【図１８】
2019090948.tif 000022
【図１９】
2019090948.tif 000023
【図２０】
2019090948.tif 000024
【図２１】
2019090948.tif 000025